(57)【特許請求の範囲】
【請求項１】
電池駆動が可能な携帯型情報処理装置であって、上面にキーボード部を有する本体部と、前記本体部にヒンジ部によって開閉可能に取り付けられる表示部と、前記本体部の後部に設けられ、片手で前記本体部を保持することのできる保持部とを備え、前記表示部を開いた状態において、前記本体部と前記表示部の間に手の指が入るだけの十分な隙間が前記保持部上方に形成されることを特徴とする携帯型情報処理装置。
【請求項２】
表示部および本体部は矩形状をなしており、前記本体部の矩形状のみを切り欠くことによって手の指が入るだけの十分な隙間を形成することを特徴とする請求項１記載の携帯型情報処理装置。
【請求項３】
表示部および本体部の矩形状の両方をほぼ同寸法切り欠くことによって手の指が入るだけの十分な隙間を形成することを特徴とする請求項１記載の携帯型情報処理装置。
【請求項４】
保持部は本体部の後部中央、ヒンジ部の間に設けられることを特徴とする請求項１記載の携帯型情報処理装置。
【請求項５】
保持部は本体部の後部片側、ヒンジ部はその反対側に設けられることを特徴とする請求項１記載の携帯型情報処理装置。
【請求項６】
保持部は本体部の後部片側に設けられ、本体部中央側から外側に向けて本体部前面からの距離が接近するように傾斜していることを特徴とする請求項５記載の携帯型情報処理装置。
【請求項７】
保持部は後部の断面がラウンド形状となっていることを特徴とする請求項１記載の携帯型情報処理装置。
【請求項８】
保持部は表面に滑り止め加工を施していることを特徴とする請求項１記載の携帯型情報処理装置。
【請求項９】
保持部は弾性材であることを特徴とする請求項１記載の携帯型情報処理装置。
【請求項１０】
保持部を本体部から着脱可能にしたことを特徴とする請求項１記載の携帯型情報処理装置。
【請求項１１】
保持部は本体部後部に設けられた周辺装置接続用のコネクタ、または周辺装置が挿入されるスロットをカバーするものであることを特徴とする請求項１０記載の携帯型情報処理装置。
【請求項１２】
保持部は形状の異なるものに交換できることを特徴とする請求項１０記載の携帯型情報処理装置。
【請求項１３】
保持部は本体部後部に設けられたコネクタに接続、またはスロットに挿入される周辺装置と一体であることを特徴とする請求項１０記載の携帯型情報処理装置。
【請求項１４】
保持部は電池と一体であることを特徴とする請求項１３記載の携帯型情報処理装置。
【請求項１５】
保持部にシフトキー等のキーを設けたことを特徴とする請求項１３記載の携帯型情報処理装置。
【請求項１６】
保持部を本体内部からの放熱部として使用することを特徴とする請求項１記載の携帯型情報処理装置。
【発明の詳細な説明】
【０００１】
【発明の属する技術分野】
本発明は携帯型情報処理装置に関し、詳しくは、開閉式の表示部を有し、片手で保持することの可能な重量、サイズの携帯型情報処理装置に関するものである。
【０００２】
【従来の技術】
近年、ノートパソコンのような開閉式の表示部を有する携帯型情報処理装置は、小型・軽量化が進み、また、内蔵の電池も長寿命化するなど、携帯性の向上が図られている。このような情報処理装置は、情報量や表示量が多く、携帯時には表示部と本体部が折り畳めコンパクトにできるなどの特徴を持っているため、一般的な携帯情報端末に替わって戸外での使用も頻繁に行われるようになってきている。使用形態としては、単にオフィスからオフィスへの移動にとどまらず、ガスや電力の検針、生命保険の勧誘などにも使用されている。
【０００３】
以下、従来の携帯型情報処理装置について図を用いて説明する。
図９は従来の携帯型情報処理装置を示す外観斜視図である。図において、９１は内部にＣＰＵなどが実装された電気回路基板（図示せず）を有し、上面にデータ入力のためのキーボード９２を備えた本体部である。９３は液晶装置９３ａが組み込まれた表示部で、ヒンジ装置９４により本体部９１に回動可能に取り付けられている。
【０００４】
このように構成された携帯型情報処理装置は、不使用時には表示部９３を折り畳んでコンパクトにし、使用時には表示部９３を開いてキーボード９２から入力することができる。
【０００５】
【発明が解決しようとする課題】
このような従来の携帯型情報処理装置では、先に述べたように、ガスや電力の検針、生命保険の勧誘などに使用されるため、使用条件のよくないところでも使われている。これらの場合、携帯型情報処理装置を机等に置いて入力操作できることはほとんどなく、ベンチ等に腰を掛けて膝に載せたり、片手で保持しながら一方の手で入力することを余儀なくされている。
【０００６】
しかし、膝に載せては使いづらく、腰を掛けられる場所も必要であるという条件があった。一般的な携帯情報端末はペン入力が多く手の平に納まるような小形にしているため、片手で保持することは容易であるが、ノートパソコンのようなキーボード入力の携帯型情報処理装置は小型になったとはいえ限界があり、手の平よりも小さくすることはできない。また、使用時には表示部が開いているため、片手での保持は不安定となり、立ってキーボード入力を行う時などに落としてしまう危険性があった。
【０００７】
本発明は、上記従来の課題を解決するもので、片手での保持が確実にでき、戸外での入力操作を容易にし、落としてしまうなどの危険性の少ない小型軽量の携帯型情報処理装置を提供することを目的とする。
【０００８】
【課題を解決するための手段】
上記課題を解決するために本発明の携帯型情報処理装置は、片手で本体部を保持することのできる保持部を備え、表示部を開いたときに本体部と表示部の間に手の指が入るだけの十分な隙間が形成されるように構成したものである。
【０００９】
これにより、携帯型情報処理装置を戸外で使用する際には、片手の指先を隙間に通し、手の平で本体の底面を支え、指先で保持部を掴むことにより、片手で安定して携帯型情報処理装置を保持できるため、戸外で立った状態でも容易に入力操作ができる。
【００１０】
以下、本発明の実施の形態について、図を用いて説明する。
【００１１】
【発明の実施の形態】
本発明の請求項１に記載の発明は、電池駆動が可能な携帯型情報処理装置であって、上面にキーボード部を有する本体部と、前記本体部にヒンジ部によって開閉可能に取り付けられる表示部と、前記本体部の後部に設けられ、片手で前記本体部を保持することのできる保持部とを備え、前記表示部を開いた状態において、前記本体部と前記表示部の間に手の指が入るだけの十分な隙間が前記保持部上方に形成されることを特徴とするもので、携帯型情報処理装置を片手で安定して保持できるという作用を有する。
【００１２】
本発明の請求項２に記載の発明は、請求項１記載の携帯型情報処理装置において、表示部および本体部は矩形状をなしており、前記本体部の矩形状のみを切り欠くことによって手の指が入るだけの十分な隙間を形成することを特徴とするもので、切り欠きは本体部だけで、表示部は矩形形状のままのため、表示部を閉めた状態では切り欠きは見えないため、外観をシンプルにすることができるという作用を有する。
【００１３】
本発明の請求項３に記載の発明は、請求項１記載の携帯型情報処理装置におい表示部および本体部の矩形状の両方をほぼ同寸法切り欠くことによって手の指が入るだけの十分な隙間を形成することを特徴とするもので、本体部に表示部を折り畳んで重ねたときに本体部と表示部に段差ができず、見栄えがよく、また切り欠き部のスペースに周辺装置を取り付ける場合でも、周辺装置の形状をシンプルにすることができるという作用を有する。
【００１４】
本発明の請求項４に記載の発明は、請求項１記載の携帯型情報処理装置において、保持部は本体部の後部中央、ヒンジ部の間に設けられることを特徴とするもので、情報処理装置の中央を保持するため、バランスがよく、安定して入力ができるという作用を有する。
【００１５】
本発明の請求項５に記載の発明は、請求項１記載の携帯型情報処理装置において、保持部は本体部の後部片側、ヒンジ部はその反対側に設けられることを特徴とするもので、保持部の片側が開放されるため、手の幅等の制約がなくなるという作用を有する。
【００１６】
本発明の請求項６に記載の発明は、請求項１記載の携帯型情報処理装置において、保持部は本体部の後部片側に設けられ、本体部中央側から外側に向けて本体部前面からの距離が接近するように傾斜していることを特徴とするもので、自然に保持した状態で本体部の向きを操作者の方向に向けることができ、本体部を支える手の平もほぼ中央部になり、安定した操作ができるという作用を有する。
【００１７】
本発明の請求項７に記載の発明は、請求項１記載の携帯型情報処理装置において、保持部は後部の断面がラウンド形状となっていることを特徴とするもので、手で保持する際に密着度が上がるため保持が確実に行え、長時間の保持でも手が痛くなりにくいという作用を有する。
【００１８】
本発明の請求項８に記載の発明は、請求項１記載の携帯型情報処理装置において、保持部は表面に滑り止め加工を施していることを特徴とするもので、手で保持したときに滑りにくく、携帯型情報処理装置を落としてしまう恐れが少なくなるという作用を有する。
【００１９】
本発明の請求項９に記載の発明は、請求項１記載の携帯型情報処理装置において、保持部は弾性材であることを特徴とするもので、手に対する密着度が上がるだけでなく、滑り止め効果や、長時間の保持にも手が痛くなりにくいという作用を有する。
【００２０】
本発明の請求項１０に記載の発明は、請求項１記載の携帯型情報処理装置におい保持部を本体部から着脱可能にしたことを特徴とするもので、片手で保持して使用しないときは、空いたスペースに他の周辺装置を取り付けることができるという作用を有する。
【００２１】
本発明の請求項１１に記載の発明は、請求項１０記載の携帯型情報処理装置において、保持部は本体部後部に設けられた周辺装置接続用のコネクタ、または周辺装置が挿入されるスロットをカバーするものであることを特徴とするもので、保持部でカバーすることによって、使用していないコネクタやスロットを埃や水滴などから守ることができるという作用を有する。
【００２２】
本発明の請求項１２に記載の発明は、請求項１０記載の携帯型情報処理装置において、保持部は形状の異なるものに交換できることを特徴とするもので、操作者の手の大きさ等に応じて適切な形状、サイズとすることができ、どの操作者でも安定して保持できるという作用を有する。
【００２３】
本発明の請求項１３に記載の発明は、請求項１０記載の携帯型情報処理装置において、保持部は本体部後部に設けられたコネクタに接続、またはスロットに挿入される周辺装置と一体であることを特徴とするもので、保持部だけのものが不要となり、周辺装置を取り付けた状態でも保持できるという作用を有する。
【００２４】
本発明の請求項１４に記載の発明は、請求項１３記載の携帯型情報処理装置において、保持部は電池と一体であることを特徴とするもので、携帯時の電池寿命を延ばすことができるという作用を有する。
【００２５】
本発明の請求項１５に記載の発明は、請求項１３記載の携帯型情報処理装置において、保持部にシフトキー等のキーを設けたことを特徴とするもので、シフトキー等を保持している手で操作可能にすることによって、キーボードの片手入力を補助できるという作用を有する。
【００２６】
本発明の請求項１６に記載の発明は、請求項１記載の携帯型情報処理装置において、保持部を本体内部からの放熱部として使用することを特徴とするもので、放熱を行うだけでなく、冬期に戸外で使用するときに手の暖房としても利用できるという作用を有する。
【００２７】
以下、本発明の実施の形態について、図１から図８を用いて説明する。
（実施の形態１）
図１（ａ）は本発明の携帯型情報処理装置の一実施の形態を示す外観斜視図、図１（ｂ）は本体部後部の断面図、図２は使用状態を示す外観斜視図である。図１において、１は内部にＣＰＵなどが実装された電気回路基板（図示せず）を有し、上面にデータ入力のためのキーボード２を備えた本体部である。３は液晶装置３ｂが組み込まれた表示部で、ヒンジ装置６により本体部１に回動可能に取り付けられている。図では表示部３が開かれた状態になっているが、不使用時には表示部３を閉じてコンパクトにできるようになっている。図における本体部１の後部、および表示部３の下部にはそれぞれ切り欠き部１ａ、３ａが設けられており、表示部３を開いた状態で、切り欠き部１ａ、３ａにより、指が通るだけの十分な隙間ができるようになっている。本体部１の切り欠き部１ａにはゴムなどの弾性材で形成された保持部４が取り付けられている。保持部４は本体部１の前面１ｂからの距離が本体部１の中央側に比べ、外側の距離が短くなるような傾斜面４ａを有する形状となっている。また、図１（ｂ）に示すように、本体部１の切り欠き部１ａには周辺装置などが接続されるコネクタ５が設けられ、本体部１内部の電気回路基板に接続されている。保持部４はコネクタ５に嵌合部４ｂが差し込まれる形で本体１に取り付けられる。また、保持部４の端部４ｃは断面がラウンド形状となっており、保持する際に手の指の密着度が上がり保持を確実に行える。また、長時間保持していても手が痛くなりにくい。
【００２８】
以上のように構成された本実施の形態の携帯型情報処理装置について、以下その使用方法について説明する。図２に示すように、操作者が立った状態などで使用する場合、操作者は左手を本体部１の下側から後部に回し、手の指で保持部４を掴む。このとき、手の指を保持部４の傾斜面４ａに沿って曲げると、本体部１の前面１ｂが操作者の方に自然に向けられる。従って、液晶装置３ｂ、キーボード２も、操作者が見やすく、操作しやすい方向に向けられる。また、手の平と腕が本体部１の下側から中央部付近を支えるようになる。このように左手で本体部１を保持した後、キーボード２への入力操作を右手で行う。
【００２９】
保持部４を使用しないときは、コネクタ５に他の周辺装置を取り付けて携帯型情報処理装置の機能を拡張することができ、逆に周辺装置が使用されないときは、保持部を取り付けることによってコネクタ５がカバーできるため、埃や水滴などから電気的接点を保護することができる。
【００３０】
また、本実施の形態では、保持部４の片側が開放になっているため、操作者の手の幅が多少大きくなっても問題はない。
【００３１】
なお、本実施の形態の保持部は、右手入力者のためのものであるが、左手入力者に対しては、傾斜面を有さない形状のものに交換するか、携帯型情報処理装置自体をヒンジ部の位置を反対側にした左手操作者専用のものとしてもよい。
【００３２】
また、操作者の手の大きさに合わせてサイズの異なる保持部を交換できるようにしてもよい。
【００３３】
また、本実施の形態では保持部の材質を弾性材としたが、これを表面にシボなどの滑り止め加工を施した剛性のある樹脂などの材質のものとしてもよい。
【００３４】
また、本実施の形態では保持部を着脱式にしたが、これを本体部と一体にしてもよい。
【００３５】
また、本実施の形態では保持部を取り付ける方法として、本体部の切り欠き面に設けられたコネクタに嵌合させるようにしたが、これを切り欠き面に周辺機器が挿入できるスロットを設け、そこに挿入させることによって嵌合させてもよいし、別途本体部に他の方法で固定してもよいことはいうまでもない。
【００３６】
（実施の形態２）
図３は第２の実施の形態の携帯型情報処理装置の外観斜視図で、図３（ａ）は表示部を開けた状態、図３（ｂ）は表示部を閉めた状態を示している。
【００３７】
図において、実施の形態１と同じ機能のものは同一名称とし、説明を省略する。３１は本体部で、３２は表示部、３３は保持部、３１ａは本体部３１に設けられた切り欠き部である。実施の形態１と異なるところは、切り欠き部を本体部のみに設けた点である。
【００３８】
このように構成すると、表示部３２は矩形形状のままのため、図３（ｂ）のように、表示部３２を閉めた状態では、本体部３１の切り欠き部３１ａが見えなくなるため、外観をシンプルにすることができる。
【００３９】
（実施の形態３）
図４は第３の実施の形態の携帯型情報処理装置を閉めた状態を示す外観斜視図である。図において、実施の形態１と同じ機能のものは同一名称とし、説明を省略する。４１は本体部、４２は表示部、４１ａは本体部４１に設けられた切り欠き部、４２ａは表示部４２に設けられた切り欠き部である。４３は本体部４１に設けられたコネクタ（図示せず）に取り付けられた周辺装置である。この実施の形態の特徴は、本体部と表示部の切り欠き部の奥行寸法をほぼ同じにしたところである。周辺装置４３は実施の形態１で示す保持部に交換可能である。
【００４０】
図で示すように、本体部４１の切り欠き部４１ａと表示部４２の切り欠き部４２ａの端面の位置が揃うため、取り付けられる周辺装置の形状を汎用性のあるシンプルなものとすることができる。
【００４１】
（実施の形態４）
図５は第４の実施の形態の携帯型情報処理装置を示す外観斜視図である。図において、実施の形態１と同じ機能のものは同一名称とし、説明を省略する。５１は本体部で切り欠き部５１ａを有し、５２は表示部で切り欠き部５２ａを有している。５３はヒンジ部で、他の実施の形態と異なり、切り欠き部５１ａ、５２ａの左右に配されている。また、５４は保持部であり、本体部のほぼ中央にある切り欠き部５１ａに取り付けられる。
【００４２】
このように構成した場合、実施の形態１で述べた手順で保持部５４を掴む。このとき、手の平および腕は本体部５１のほぼ中央を支えることになり、極めてバランスよく安定して保持することができる。
【００４３】
なお、この場合も実施の形態１と同様、保持部に傾斜面を設けて操作者の方に向けるようにした右手および左手操作者用のものや、手の大きさに合わせてサイズの異なるものを交換できるようにしてもよい。
【００４４】
（実施の形態５）
図６は第５の実施の形態の携帯型情報処理装置を示す外観斜視図である。図において、実施の形態１と同じ機能のものは同一名称とし、説明を省略する。６１は本体部、６２は表示部で、本体部６１の切り欠き面６１ａには周辺装置が挿入されるスロット６１ｂが設けられている。スロット６１ｂの奥には周辺装置接続用のコネクタ（図示せず）が設けられている。また、保持部６３は内部に電池が収納されており、先端にコネクタ６３ａが設けられている。
【００４５】
ここで、保持部６３はスロット６１ｂに挿入されることによって奥にある周辺装置接続用のコネクタに接続され取り付けられるが、電池と一体となっているため、取り付けることによって携帯型情報処理装置の電池寿命を延ばすことができ、長時間携帯時の電池駆動が可能になる。
【００４６】
また、電池だけでなく、拡張カードなどの他の周辺装置も保持部と一体とすれば、周辺装置を取り付けた状態でも保持が可能となり、保持する機能専用の保持部は不要となる。
【００４７】
（実施の形態６）
図７は第６の実施の形態の携帯型情報処理装置を示す外観斜視図である。図において、実施の形態１と同じ機能のものは同一名称とし、説明を省略する。７１は本体部、７２は保持部で、本体部７１に設けられたキーボードのシフトキー（図示せず）と同じ機能のシフトキー７２ａと、先端に本体部７１のコネクタ７１ａに接続されるコネクタ７２ｂが設けられている。
【００４８】
片手で本体部を保持すると、キーボードは片手入力しかできないため、保持した手でシフトキー７２ａを操作することによって、必要な入力を片手で容易に行うことができる。
【００４９】
（実施の形態７）
図８は第７の実施の形態の携帯型情報処理装置を示す外観斜視図である。図において、実施の形態１と同じ機能のものは同一名称とし、説明を省略する。８１は本体部、８２は表示部で、本体部８１の保持部８１ａには複数のスリット８１ｂが設けられており、内部の発熱部品（図示せず）から発生した熱によって暖められた空気がファンなどによって排気される。
【００５０】
こうすることで、保持部が暖められるため、冬期の戸外での使用時に手の暖房替わりに利用することもできる。従って、手が凍えて携帯型情報処理装置を落としたりすることはない。
【００５１】
また、スリットを設けなくても、保持部付近の本体部筐体から放熱するものであればよい。
【００５２】
【発明の効果】
以上のように本発明によれば、片手で本体部を保持することのできる保持部を備え、表示部を開いたときに本体部と表示部の間に手の指が入るだけの十分な隙間が形成されるように構成したものである。
【００５３】
これにより、携帯型情報処理装置を戸外で使用する際には、片手の指先を隙間に通し、手の平で本体の底面を支え、指先で保持部を掴むことにより、片手で安定して携帯型情報処理装置を保持できるため、戸外で立った状態でも容易に入力操作ができ、戸外での使用に極めて有用である。
【図面の簡単な説明】
【図１】本発明の一実施の形態の携帯型情報処理装置の外観斜視図および本体部後部の断面図
【図２】本発明の一実施の形態の携帯型情報処理装置の使用状態を示す外観斜視図
【図３】本発明の第２の実施の形態の携帯型情報処理装置の外観斜視図
【図４】本発明の第３の実施の形態の携帯型情報処理装置を閉めた状態を示す外観斜視図
【図５】本発明の第４の実施の形態の携帯型情報処理装置を示す外観斜視図
【図６】本発明の第５の実施の形態の携帯型情報処理装置を示す外観斜視図
【図７】本発明の第６の実施の形態の携帯型情報処理装置を示す外観斜視図
【図８】本発明の第７の実施の形態の携帯型情報処理装置を示す外観斜視図
【図９】従来の携帯型情報処理装置を示す外観斜視図
【符号の説明】
１  本体部
１ａ、３ａ  切り欠き部
３  表示部
４  保持部
５  コネクタ
【図１】
0004058800.tif 000002
【図２】
0004058800.tif 000003
【図３】
0004058800.tif 000004
【図４】
0004058800.tif 000005
【図５】
0004058800.tif 000006
【図６】
0004058800.tif 000007
【図７】
0004058800.tif 000008
【図８】
0004058800.tif 000009
【図９】
0004058800.tif 000010